(57)【要約】【課題】簡易な構造で、水平面指向性の真円度が良好で且つ広帯域特性が得られるコーリニアアンテナ装置を提供する。【解決手段】円筒導体１１の外側に所定の間隔離間して一対の放射素子１２ａ、１２ｂを約１８０度対向して配置し、支持アーム１３ａ、１３ｂにより支持する。上記放射素子１２ａ、１２ｂは、スリーブダイポールアンテナを用いて構成したもので、円筒状の第１のアンテナ素子２１の中心軸に沿って棒状の第２のアンテナ素子２２を設けている。そして、上記放射素子１２ａ、１２ｂの前方位置に、それぞれ所定の間隔を保って導波素子１４ａ、１４ｂを放射素子１２ａ、１２ｂと平行に配置する。【選択図】図１２
0003159905.tif 000002
【実用新案登録請求の範囲】
【請求項１】
円筒導体と、前記円筒導体の外側に平行に所定の間隔離間して約１８０度対向させて配置される一対の放射素子と、前記一対の放射素子の外側にそれぞれ所定の間隔離間して配置される導波素子と、前記放射素子に給電する給電手段とを具備したことを特徴とするコーリニアアンテナ装置。
【請求項２】
前記放射素子及び導波素子を一直線状に配置したことを特徴とする請求項１に記載のコーリニアアンテナ装置。
【請求項３】
前記放射素子は、スリーブダイポールアンテナにより構成したことを特徴とする請求項１又は２に記載のコーリニアアンテナ装置。
【請求項４】
前記円筒導体と放射素子との間隔を約０．２波長、前記放射素子と前記導波素子との間隔を約０．１５波長に設定したことを特徴とする請求項１乃至３の何れか１項に記載のコーリニアアンテナ装置。
【請求項５】
前記円筒導体の外側に平行に所定の間隔離間し、且つ前記各放射素子に対して約９０度対向させて反射素子を配置したことを特徴とする請求項１乃至４の何れか１項に記載のコーリニアアンテナ装置。
【請求項６】
請求項１乃至５の何れか１項に記載のアンテナ装置を多段に構成したことを特徴とするコーリニアアンテナ装置。
【考案の詳細な説明】
【技術分野】
【０００１】
本考案は、水平面指向性が無指向性のコーリニアアンテナ装置に関する。
【背景技術】
【０００２】
現在、携帯端末向けマルチメディア放送として、例えば９０〜１０８ＭＨｚ帯、２０７．５〜２２２ＭＨｚ帯の周波数帯（ＶＨＦ帯）の使用が検討されている。上記携帯端末向けマルチメディア放送用アンテナとして、垂直偏波を用い水平面方向に鋭いビームを発射し、水平面内でほぼ無指向性となるコーリニアアンテナがある。
【０００３】
地上デジタル放送用アンテナは水平偏波用が広く用いられているが、移動通信基地局（マルチメディア放送用）として垂直偏波無指向性コーリニアアンテナが多く利用されている。
【０００４】
従来、一般に使用されているコーリニアアンテナは円筒導体の前方の位置に１本のアンテナ素子を平行に配置し、これらのアンテナ素子を上記円筒導体の周囲にその取り付け角度を適度にずらした間隔にて多段に配置し、同振幅、同位相の電流にて給電したものであり、３段、６段のものがある（例えば、非特許文献１参照。）。なお、上記アンテナ素子としては半波長アンテナ素子や折り返し型のダイポールアンテナが使用されることが多い。
【先行技術文献】
【非特許文献】
【０００５】
【非特許文献１】テレビジョン学会誌２６巻５号ｐｐ．３９４−４０２（１９７２，５）「コーリニアアンテナの指向性」
【考案の概要】
【考案が解決しようとする課題】
【０００６】
コーリニアアンテナの水平面指向性はほぼ無指向性であり、その垂直面指向性はその段数の増加と共に尖鋭となり、且つ利得も高くなる。
【０００７】
しかし、円筒導体の前方に１本のアンテナ素子を設けた従来のコーリニアアンテナでは、良好な真円度（水平面指向性）を得ることが困難であり、また、ＶＳＷＲ（定在波比）特性が悪く、広帯域特性が得られないという問題があった。
【０００８】
本考案は上記の課題を解決するためになされたもので、簡易な構造で、水平面指向性の真円度が良好で且つ広帯域特性が得られるコーリニアアンテナ装置を提供することを目的とする。
【課題を解決するための手段】
【０００９】
本考案の請求項１に係るコーリニアアンテナ装置は、円筒導体と、前記円筒導体の外側に平行に所定の間隔離間して約１８０度対向させて配置される一対の放射素子と、前記一対の放射素子の外側にそれぞれ所定の間隔離間して配置される導波素子と、前記放射素子に給電する給電手段とを具備したことを特徴とする。
【００１０】
本考案の請求項２に係るコーリニアアンテナ装置は、上記請求項１における放射素子及び導波素子を一直線状に配置したことを特徴とする。
【００１１】
本考案の請求項３は、上記請求項１又は２に記載のコーリニアアンテナ装置において、放射素子をスリーブダイポールアンテナにより構成したことを特徴とする。
【００１２】
本考案の請求項４は、上記請求項１乃至３の何れかに記載のコーリニアアンテナ装置において、円筒導体と放射素子との間隔を約０．２波長、放射素子と導波素子との間隔を約０．１５波長に設定したことを特徴とする。
【００１３】
本考案の請求項５は、上記請求項１乃至４の何れかに記載のコーリニアアンテナ装置において、円筒導体の外側に平行に所定の間隔離間し、且つ放射素子に対して約９０度対向させて一対の反射素子を配置したことを特徴とする。
【００１４】
本考案の請求項６は、上記請求項１乃至５の何れかに記載のコーリニアアンテナ装置を多段に構成したことを特徴とする。
【考案の効果】
【００１５】
本考案に係るコーリニアアンテナ装置は、非常に簡単な構造を持ち、水平面指向性の真円度が良好で且つ広帯域特性を得ることができ、従来からある鉄塔を使用して簡単に取り付けることができるものであり、携帯端末向けマルチメディア放送用基地局アンテナとして優れた効果を発揮することができる。
【図面の簡単な説明】
【００１６】
【図１】（ａ）は本考案の実施例１に係るコーリニアアンテナ装置の外観構成図、（ｂ）はアンテナ素子の配列状態を示す平面図である。
【図２】同実施例に係るコーリニアアンテナ装置のＶＳＷＲ特性図である。
【図３】同実施例に係るコーリニアアンテナ装置の真円度（水平面指向性）の周波数特性を示す図である。
【図４】（ａ）は本考案の実施例２に係るコーリニアアンテナ装置の外観構成図、（ｂ）はアンテナ素子の配列状態を示す平面図である。
【図５】同実施例に係るコーリニアアンテナ装置のＶＳＷＲ特性図である。
【図６】同実施例に係るコーリニアアンテナ装置の真円度（水平面指向性）・周波数特性を示す図である。
【図７】本考案の実施例１及び実施例２に係るコーリニアアンテナ装置に基づく特徴を示す図である。
【図８】（ａ）は本考案の実施例３に係るコーリニアアンテナ装置の外観構成図、（ｂ）はアンテナ素子の配列状態を示す平面図である。
【図９】同実施例に係るコーリニアアンテナ装置のＶＳＷＲ特性図である。
【図１０】同実施例に係るコーリニアアンテナ装置の真円度（水平面指向性）及び垂直面指向性を示す図である。
【図１１】同実施例に係るコーリニアアンテナ装置の利得特性図である。
【図１２】（ａ）は本考案の実施例４に係るコーリニアアンテナ装置の外観構成図、（ｂ）はアンテナ素子の配列状態を示す断面図である。
【図１３】同実施例における放射素子及び導波素子部分の詳細を示す構成図である。
【図１４】同実施例に係るコーリニアアンテナ装置の利得特性図である。
【図１５Ａ】同実施例に係るコーリニアアンテナ装置の「０．９１ｆ０」、「０．９５ｆ０」、「１．０ｆ０」における真円度（水平面指向性）及び垂直面指向性を示す図である。
【図１５Ｂ】同実施例に係るコーリニアアンテナ装置の「１．０５ｆ０」、「１．０９ｆ０」における真円度（水平面指向性）及び垂直面指向性を示す図である。
【図１６】同実施例に係るコーリニアアンテナ装置の真円度（水平面指向性）及び垂直面指向性（極座標表示）を示す図である。
【図１７】同実施例に係るコーリニアアンテナ装置のＶＳＷＲ特性図である。
【図１８】本考案の実施例５に係る４段構成のコーリニアアンテナ装置の外観構成を示す透視図である。
【図１９】同実施例に係る４段構成のコーリニアアンテナ装置の給電系統図である。
【図２０】同実施例に係る４段構成のコーリニアアンテナ装置の利得特性図である。
【図２１Ａ】同実施例に係る４段構成のコーリニアアンテナ装置の「０．９１ｆ０」、「０．９４ｆ０」、「０．９７ｆ０」における真円度（水平面指向性）及び垂直面指向性を示す図である。
【図２１Ｂ】同実施例に係る４段構成のコーリニアアンテナ装置の「１．０ｆ０」、「１．０３ｆ０」における真円度（水平面指向性）及び垂直面指向性を示す図である。
【図２１Ｃ】同実施例に係る４段構成のコーリニアアンテナ装置の「１．０６ｆ０」、「１．０９ｆ０」における真円度（水平面指向性）及び垂直面指向性を示す図である。
【図２２】同実施例に係る４段構成のコーリニアアンテナ装置の真円度（水平面指向性）及び垂直面指向性（極座標表示）を示す図である。
【考案を実施するための形態】
【００１７】
以下、本考案の実施の形態について図面を参照して詳細に説明する。
【実施例１】
【００１８】
図１（ａ）は本考案の実施例１に係る垂直偏波のコーリニアアンテナ装置の基本的な外観構成を示す斜視図、同図（ｂ）は断面図である。
【００１９】
図１において、１１は円筒導体例えば有限の円筒導体で、直径Ｄを約０．０６３λ０、長さＬ０を約１．３２λ０に設定している。上記λ０は使用周波数帯における中心周波数の波長である。例えば使用周波数帯が９０〜１０８ＭＨｚである場合、λ０は中心周波数９９ＭＨｚの波長を示し、使用周波数帯が２０７．５〜２２２ＭＨｚである場合、λ０は中心周波数２１４．７５ＭＨｚの波長を示している。
【００２０】
そして、上記円筒導体１１の中央部分における外側に２本の放射素子（ダイポールアンテナ）１２ａ、１２ｂを配置し、支持アーム１３ａ、１３ｂにより支持する。上記放射素子１２ａ、１２ｂは、円筒導体１１を中心として１８０度の対称位置で対向し、且つ間隔Ｓ１を保って配置する。この場合、放射素子１２ａ、１２ｂは、垂直方向に、すなわち円筒導体１１と平行に配置する。上記間隔Ｓ１は円筒導体１１と放射素子１２ａ、１２ｂとの中心間隔であり、約０．１９８λ０に設定する。上記放射素子１２ａ、１２ｂは、直径が約０．０３λ０、長さＬ１が約０．４５λ０の棒状素子が使用される。また、上記放射素子１２ａ、１２ｂの前方位置には、それぞれ中心間隔Ｄ１を保って非励振素子である導波素子１４ａ、１４ｂを垂直方向に配置する。導波素子１４ａ、１４ｂは、直径が約０．００６６λ０、長さＬ２が約０．４１λ０の棒状素子を使用し、放射素子１２ａ、１２ｂとの中心間隔Ｄ１を約０．０８１λ０に設定する。
【００２１】
図２は上記実施例１に係るコーリニアアンテナ装置のＶＳＷＲ（定在波比）特性であり、横軸に周波数、縦軸にＶＳＷＲをとって示した。図２では低い周波数方向に特性がずれているが、これは円筒導体１１と放射素子１２ａ、１２ｂとの間隔Ｓ１及び放射素子１２ａ、１２ｂと導波素子１４ａ、１４ｂとの間隔Ｄ１を調整することにより変えることが出来る。
【００２２】
図３は上記実施例１に係るコーリニアアンテナ装置の真円度（水平面指向性）の周波数特性であり、横軸に周波数をとり、縦軸に真円度（ｄＢ）をとって示した。この実施例１に係るアンテナ装置は、真円度（水平面指向性）が略３ｄＢ以下に抑えられている。円筒導体１１と放射素子１２ａ、１２ｂの間隔Ｓ１を近づけると真円度は良くなるが、ＶＳＷＲ特性は逆に悪くなることが判っている。なお、コーリニアアンテナ装置を多段に構成した場合、真円度（水平面指向性）の周波数特性は単体の場合より劣化することがなく、又、ＶＳＷＲ特性の劣化も少ないことより単体特性を維持する事が出来る。
【実施例２】
【００２３】
次に本考案の実施例２に係るコーリニアアンテナ装置について説明する。
【００２４】
図４（ａ）は本考案の実施例２に係るコーリニアアンテナ装置の外観構成を示す斜視図、同図（ｂ）は断面図である。
【００２５】
この実施例２に係るコーリニアアンテナ装置は、実施例１における導波素子１４ａ、１４ｂに代えて直径が０．００６６λ０、長さＲが０．９９λ０の棒状素子からなる反射素子１５ａ、１５ｂを設けたものである。反射素子１５ａ、１５ｂは、円筒導体１１の外側位置に中心間隔ｒを保ち、且つ放射素子１２ａ、１２ｂと９０度の位置関係を保って平行に配置する。
【００２６】
そして、円筒導体１１と反射素子１５ａ、１５ｂとの中心間隔ｒを約０．３１λ０とし、放射素子１２ａ、１２ｂは直径を約０．０３λ０、長さＬ１を約０．４３λ０とする。また、その他の寸法は、実施例１と同様に円筒導体１１の直径Ｄを０．０６３λ０、長さＬ０を約１．３２λ０とし、円筒導体１１と放射素子１２ａ、１２ｂとの中心間隔Ｓ１を約０．１９８λ０とした。
【００２７】
図５は上記実施例２に係るコーリニアアンテナ装置のＶＳＷＲ特性であり、横軸に周波数、縦軸にＶＳＷＲをとって示した。この実施例２に示したアンテナ装置では、以下に述べる真円度（水平面指向性）にかなり余裕があるので、円筒導体１１と放射素子１２ａ、１２ｂとの間隔Ｓ１を大きくすることによりＶＳＷＲ特性の改善することが可能である。
【００２８】
図６はこの実施例２に係るコーリニアアンテナ装置の真円度（水平面指向性）の周波数特性であり、横軸に周波数をとり、縦軸に真円度（ｄＢ）をとって示した。この実施例２に係るアンテナ装置は真円度（水平面指向性）が２．０ｄＢ以下となり、余裕があるので、風荷重の条件が弱められる。この良好になった理由は一対の反射素子１５ａ、１５ｂを設けたことにより、実施例１にて示した特性の反射素子方向への改善が出来たためである。
【００２９】
図７は上記実施例１及び実施例２の結果を基にした特徴を示したものである。
【実施例３】
【００３０】
次に本考案の実施例３に係るコーリニアアンテナ装置について説明する。
【００３１】
図８（ａ）は本考案の実施例３に係るコーリニアアンテナ装置の外観構成図、同図（ｂ）はアンテナ素子の配列状態を示す断面図である。
【００３２】
この実施例３に係るコーリニアアンテナ装置は、上記実施例１と実施例２を組み合わせた構成となっているが、放射素子１２ａ、１２ｂとしてオープンスリーブダイポールアンテナを使用している。上記放射素子１２ａ、１２ｂは、直径を約０．０３λ０、長さＬ１を約０．４５９λ０とする。
【００３３】
そして、各放射素子１２ａ、１２ｂの外側及び両側に中心間隔Ｄ１を保ってそれぞれ３つの非励振素子を設けている。すなわち、放射素子１２ａに対しては非励振素子１４ａ１、１４ａ２、１４ａ３を９０度毎に配置し、放射素子１２ｂに対しては非励振素子１４ｂ１、１４ｂ２、１４ｂ３を９０度毎に配置する。上記円筒導体１１と放射素子１２ａ、１２ｂとの中心間隔Ｓ１は約０．１９８λ０、放射素子１２ａと非励振素子１４ａ１、１４ａ２、１４ａ３と間、及び放射素子１２ｂと非励振素子１４ｂ１、１４ｂ２、１４ｂ３との間の中心間隔Ｄ１は約０．０５λ０に設定する。非励振素子１４ａ１、１４ａ２、１４ａ３は、直径が約０．００６６λ０、長さＬ２が約０．３６３λ０のものを使用する。
【００３４】
また、円筒導体１１の外側位置に中心間隔ｒを保ち、且つ放射素子１２ａ、１２ｂと９０度の位置関係を保って反射素子１５ａ、１５ｂを平行に配置する。反射素子１５ａ、１５ｂは、直径が約０．００６６λ０、長さＲが約０．９９λ０であり、円筒導体１１との中心間隔ｒは約０．３１４λ０とした。
【００３５】
また、円筒導体１１は、上記各実施例と同様に直径Ｄが約０．０６３λ０、長さＬ０が約１．３２λ０のものを使用している。
【００３６】
図９はこの実施例３に係るコーリニアアンテナ装置のＶＳＷＲ特性であり、横軸に周波数、縦軸にＶＳＷＲをとって示した。このＶＳＷＲ特性は、使用周波数帯域において１．２５以下となっている。
【００３７】
図１０はこの実施例３に係るコーリニアアンテナ装置の真円度（水平面指向性）及び垂直面指向性を示し、横軸に仰角（度）をとり、縦軸に電界強度（ｄＢ）をとって示した。図中の記号Ａは真円度（水平面指向性）を示し、記号Ｂは垂直面指向性を示している。この場合の真円度（水平面指向性）は１．５ｄＢ以下に抑えられており、良好な特性を示している。
【００３８】
図１１はこの実施例３に係るコーリニアアンテナ装置のおける利得特性であり、横軸に周波数をとり、縦軸に利得（ｄＢｉ）をとって示した。この場合の利得はアンテナ１段の単体で２〜３．４ｄＢｉとかなり変化があり、ある程度周波数特性を持っていることが判る。
【００３９】
上記実施例３では、放射素子１２ａ、１２ｂに対して非励振素子１４ａ１、１４ａ２、１４ａ３、１４ｂ１、１４ｂ２、１４ｂ３を設けると共に反射素子１５ａ、１５ｂを設けることにより、良好なＶＳＷＲ特性及び良好な真円度（水平面指向性）特性が得られ、広帯域化を図ることができた。
【実施例４】
【００４０】
次に本考案の実施例４に係るコーリニアアンテナ装置について説明する。
【００４１】
図１２（ａ）は本考案の実施例４に係るコーリニアアンテナ装置の外観構成図、同図（ｂ）はアンテナ素子の配列状態を示す断面図である。
【００４２】
この実施例４に係るコーリニアアンテナ装置は、円筒導体１１の外側に支持アーム１３ａ、１３ｂを介して放射素子１２ａ、１２ｂ設け、更にその外側に支持アーム１７ａ、１７ｂを介して導波素子１４ａ、１４ｂを所定の間隔で設けている。放射素子１２ａ、１２ｂは、上記実施例３に係るコーリニアアンテナ装置と同様に円筒状の第１のアンテナ素子２１の中心軸に棒状の第２のアンテナ素子２２を設けてなるスリーブダイポールアンテナを使用し、放射素子１２ａ、１２ｂの外側に導波素子１４ａ、１４ｂを設けているが、図１２（ｂ）に示すように放射素子１２ａ、１２ｂ及び導波素子１４ａ、１４ｂを所定の間隔で一直線状に配置している。上記円筒導体１１と放射素子１２ａ、１２ｂとの中心間隔Ｓ１は約０．１９８λ０、放射素子１２ａ、１２ｂと導波素子１４ａ、１４ｂとの間隔Ｄ１は約０．１４９λ０である。
【００４３】
図１３は上記円筒導体１１、放射素子１２（１２ａ、１２ｂ）及び導波素子１４（１４ａ、１４ｂ）部分の詳細な構成例を示している。
【００４４】
円筒導体１１と放射素子１２との間を接続する支持アーム１３（１３ａ、１３ｂ）内に平衡不平衡変換回路３１を設けている。上記放射素子１２は、実施例３で示したように円筒状の第１のアンテナ素子２１の中心軸に棒状の第２のアンテナ素子２２を設け、スリーブダイポールアンテナを構成している。上記第１のアンテナ素子２１は直径が約０．０６λ０、長さＬ１ａが約０．３５λ０、第２のアンテナ素子２２は直径が約０．０２λ０、長さＬ１が約０．４９５λ０である。
【００４５】
上記平衡不平衡変換回路３１は、円筒導体１１側の下側に給電用同軸ケーブルを接続するための入力コネクタ３２を備え、支持アーム１３内に設けた給電線路３３により入力コネクタ３２と放射素子１２の第２のアンテナ素子２２との間を接続する。また、平衡不平衡変換回路３１は、インピーダンス調整部３４を備えており、給電インピーダンスを例えば５０Ωに設定する。
【００４６】
また、導波素子１４（１４ａ、１４ｂ）は、上記放射素子１２の第１のアンテナ素子２１の中央部外側に支持アーム１７（１７ａ、１７ｂ）を介して装着する。
【００４７】
上記のように構成された４段のコーリニアアンテナ装置は、各段の放射素子１２ａ、１２ｂに対し、平衡不平衡変換回路３１の入力コネクタ３２から給電する。
【００４８】
図１４はこの実施例４に係るコーリニアアンテナ装置のおける利得特性であり、横軸に周波数をとり、縦軸に利得（ｄＢｉ）をとって示した。この場合、アンテナ１段の単体でほぼ一定な３．６ｄＢｉの利得が得られた。
【００４９】
図１５Ａ及び図１５Ｂは上記のように各段の放射素子１２ａ、１２ｂと導波素子１４ａ、１４ｂをそれぞれ一直線状に配置したコーリニアアンテナ装置の真円度（水平面指向性）及び垂直面指向性を示す図であり、横軸に仰角（度）をとり、縦軸に電界強度（ｄＢ）をとって示した。図中の記号Ａは真円度（水平面指向性）を示し、記号Ｂは垂直面指向性を示している。また、図１５Ａの（ａ）は０．９１ｆ０の特性、（ｂ）は０．９５ｆ０の特性、（ｃ）は１．０ｆ０の特性、図１５Ｂの（ｄ）は１．０５ｆ０の特性、（ｅ）は１．０９ｆ０の特性を示している。この場合の真円度（水平面指向性）は、帯域６％で約２ｄＢ以下にすることが出来た。
【００５０】
図１６は上記実施例４におけるコーリニアアンテナ装置の真円度（水平面指向性）及び垂直面指向性（極座標表示）を示す図であり、良好な特性とすることができた。図中の記号Ａは真円度（水平面指向性）を示し、記号Ｂは垂直面指向性を示している。
【００５１】
図１７は上記実施例４におけるコーリニアアンテナ装置のＶＳＷＲ特性であり、横軸に周波数をとり、縦軸にＶＳＷＲをとって示した。この実施例４におけるアンテナ装置は、きわめて良好なＶＳＷＲ特性とすることができた。
【実施例５】
【００５２】
次に本考案の実施例５に係るコーリニアアンテナ装置について説明する。
【００５３】
図１８は本考案の実施例５に係るコーリニアアンテナ装置の外観構成を示す斜視図である。
【００５４】
この実施例５に係るコーリニアアンテナ装置は、実施例５に係るコーリニアアンテナ装置を複数段例えば４段に構成し、利得特性を向上したものである。
【００５５】
この実施例５では、上記実施例４に示したようにスリーブダイポールアンテナからなる放射素子１２ａ、１２ｂと導波素子１４ａ、１４ｂを所定の間隔で一直線状に配置すると共に、各段の円筒導体１１ａ〜１１ｄの直径Ｄａ〜Ｄｄを異なる値に設定し、上段側の直径を細く、下段側の直径を太く設定している。例えば１段目（最上段）の円筒導体１１ａの直径Ｄａを０．０４６λ０、２段目の円筒導体１１ｂの直径Ｄｂを０．０６３λ０、３段目の円筒導体１１ｃの直径Ｄｃを０．０８λ０、４段目（最下段）の円筒導体１１ｄの直径Ｄｄを０．１λ０とする。また、各段間の放射素子間隔Ｈを０．９９λ０に設定する。その他の構成及び寸法は実施例４で示したものと同じであるので、詳細な説明は省略する。
【００５６】
なお、上記実施例５では、４段に構成したコーリニアアンテナ装置について示したが、更に多段に構成しても良いことは勿論である。
【００５７】
図１９は上記図１８に示した４段のコーリニアアンテナ装置における給電系統図である。多段のコーリニアアンテナ装置に給電する場合、最下段の円筒導体１１ｄの下部近傍に多段電力分配器４１を設置する。この多段電力分配器４１は、１つの入力端子４２を備えると共に８つの出力端子４３を備え、送信機（図示せず）から入力端子４２に供給される給電電力を８つの出力端子４３にそれぞれ接続した分岐ケーブル４４により各段の放射素子１２ａ、１２ｂに給電する。上記分岐ケーブル４４は、例えば円筒導体１１ａ〜１１ｄの外側に沿って設置する。
【００５８】
図２０は上記実施例５における４段構成のコーリニアアンテナ装置の利得特性であり、横軸に周波数をとり、縦軸に利得（ｄＢｉ）をとって示した。この場合の利得は、約１０ｄＢｉ以上の高利得となっている。
【００５９】
図２１Ａ〜図２１Ｃは上記４段構成のコーリニアアンテナ装置の真円度（水平面指向性）及び垂直面指向性であり、横軸に仰角（度）をとり、縦軸に電界強度（ｄＢ）をとって示した。上記図２１Ａの（ａ）は０．９１ｆ０の特性、（ｂ）は０．９４ｆ０の特性、（ｃ）は０．９７ｆ０の特性、図２１Ｂの（ｄ）は１．０ｆ０の特性、（ｅ）は１．０３のｆ０の特性、図２１Ｃの（ｆ）は１．０６ｆ０の特性、（ｇ）は１．０９ｆ０の特性を示している。図中の記号Ａは真円度（水平面指向性）を示し、記号Ｂは垂直面指向性を示している。
【００６０】
図２２は上記４段構成のコーリニアアンテナ装置の真円度（水平面指向性）及び垂直面指向性（極座標表示）であり、Ｆ／Ｓ（front to side ratio）特性を改善でき、真円度も良好な特性が得られた。図中の記号Ａは真円度（水平面指向性）を示し、記号Ｂは垂直面指向性を示している。
【００６１】
上記実施例５に係るコーリニアアンテナ装置は、水平面指向性がほぼ無指向性であり、また、垂直面指向性はその段数の増加と共に尖鋭となり、且つ利得も高く、移動体基地局用アンテナとして優れた特性を有している。また、風荷重は、スーパーターンスタイルアンテナより良好な結果を得ることができた。
【００６２】
また、実施例５に示したように、放射素子１２ａ、１２ｂ及び導波素子１４ａ、１４ｂを一直線状に配置することにより、各段配置を交差型にしなくてもよく、位相特性を揃えることによる諸特性が良好になる利点がある。
【００６３】
本考案に係るコーリニアアンテナ装置は、円筒導体１１に独立して放射素子１２ａ、１２ｂ及び導波素子１４ａ、１４ｂを配置することが出来るために現地設置工事が容易であり、設置費用を低減することができる。また、円筒導体１１と放射素子１２ａ、１２ｂとの間隔Ｓ１及び放射素子１２ａ、１２ｂと導波素子１４ａ、１４ｂとの間隔Ｄ１を適切に設定することにより、小型大電力で且つ周波数特性を広帯域化することができる。
【００６４】
また、本考案に係るコーリニアアンテナ装置は、非常に簡単な構造を持ち、水平面指向性の真円度が高く、且つ良好な広帯域特性を得ることができ、且つ、従来からある鉄塔を使用して簡単に取り付けることができるものであり、携帯端末向けマルチメディア放送用基地局アンテナとして優れた効果を発揮することができる。
【００６５】
なお、本考案は、上記実施例に限定されるものではなく、実施段階ではその要旨を逸脱しない範囲で構成要素を変形して具体化できるものである。
【符号の説明】
【００６６】
１１、１１ａ〜１１ｄ…円筒導体、１２、１２ａ、１２ｂ…放射素子、１３、１３ａ、１３ｂ…支持アーム、１４、１４ａ、１４ｂ…導波素子、１４ａ１、１４ａ２、１４ｂ１、１４ｂ２…非励振素子、１５ａ、１５ｂ…反射素子、１７、１７ａ、１７ｂ…支持アーム、２１…第１のアンテナ素子、２２…第２のアンテナ素子、３１…平衡不平衡変換回路、３２…入力コネクタ、３３…給電線路、３４…インピーダンス調整部、３５…ジャンパー、４１…多段電力分配器、４２…多段電力分配器の入力端子、４３…多段電力分配器の出力端子、４４…分岐ケーブル。
【図１】
0003159905.tif 000003
【図２】
0003159905.tif 000004
【図３】
0003159905.tif 000005
【図４】
0003159905.tif 000006
【図５】
0003159905.tif 000007
【図６】
0003159905.tif 000008
【図７】
0003159905.tif 000009
【図８】
0003159905.tif 000010
【図９】
0003159905.tif 000011
【図１０】
0003159905.tif 000012
【図１１】
0003159905.tif 000013
【図１２】
0003159905.tif 000014
【図１３】
0003159905.tif 000015
【図１４】
0003159905.tif 000016
【図１５Ａ】
0003159905.tif 000017
【図１５Ｂ】
0003159905.tif 000018
【図１６】
0003159905.tif 000019
【図１７】
0003159905.tif 000020
【図１８】
0003159905.tif 000021
【図１９】
0003159905.tif 000022
【図２０】
0003159905.tif 000023
【図２１Ａ】
0003159905.tif 000024
【図２１Ｂ】
0003159905.tif 000025
【図２１Ｃ】
0003159905.tif 000026
【図２２】
0003159905.tif 000027